(57)【要約】【目的】ディスプレイに表示させる広告映像の作成の負担を軽減することができる映像供給システムを提供する。【構成】映像供給側コンピュータ１が提供するＡＳＰ機能により、顧客はパーソナルコンピュータ２１によって番組編集を行う。具体的には、映像供給側コンピュータ１から提供されるテンプレートリスト内から選択したテンプレートを自己所有ファイル等で編集（改編）し、顧客独自の顧客番組ファイルを作成し、これを映像供給側コンピュータ１に登録する。パーソナルコンピュータ２１は顧客番組ファイルを映像供給側コンピュータ１からダウンロードし、放映専用端末２２にデータ送信する。放映専用端末２２は顧客番組ファイルに基づいて映像信号を生成し、この映像信号をプラズマディスプレイ２３に供給する。【選択図】    図１
2004336442.tif 000002
【特許請求の範囲】
【請求項１】
ユーザ側コンピュータと映像供給側コンピュータとがコンピュータネットワークで接続された映像供給システムであって、
前記映像供給側コンピュータは、供給映像のひな型となる複数のテンプレートデータを記憶した第１記憶手段と、前記複数のテンプレートデータに基づくテンプレート一覧データを前記ユーザ側コンピュータに送信する手段と、前記ユーザ側コンピュータから送信されてきたテンプレート選択情報をユーザ特定情報に対応付けて記憶する第２記憶手段と、選択されたテンプレートデータに基づいて作成した顧客番組ファイルを可搬型の記録媒体に記録するか又はユーザ側コンピュータに送信する処理手段と、を備え、
ユーザ側コンピュータは、映像供給側コンピュータにコンピュータネットワークで接続される第１コンピュータと、前記第１コンピュータから前記顧客番組ファイルをデータ通信にて受け取るか又は前記可搬型の記録媒体から前記顧客番組ファイルを読み取り、当該顧客番組ファイルを解釈して映像信号を生成し、この映像信号をディスプレイに供給する第２コンピュータと、を備えることを特徴とする映像供給システム。
【請求項２】
ユーザ側コンピュータと映像供給側コンピュータとがコンピュータネットワークで接続された映像供給システムであって、
前記映像供給側コンピュータは、供給映像のひな型となる複数のテンプレートデータを記憶した第１記憶手段と、前記複数のテンプレートデータに基づくテンプレート一覧データを前記ユーザ側コンピュータに送信する手段と、前記テンプレートデータとして利用される情報が格納されたアプリケーション素材データベースと、前記ユーザ側コンピュータから送信されてきたテンプレート選択情報に基づいてテンプレートを選択し、このテンプレートデータと共に情報入力用ファイルをユーザ側コンピュータに送信する手段と、前記ユーザ側コンピュータから送信されてきた入力情報及びテンプレート選択情報をユーザ特定情報に対応付けて記憶する第２記憶手段と、前記入力情報及び選択されたテンプレートデータに基づいて作成した顧客番組ファイルを可搬型の記録媒体に記録するか又はユーザ側コンピュータに送信する処理手段と、を備え、
ユーザ側コンピュータは、映像供給側コンピュータにコンピュータネットワークで接続される第１コンピュータと、前記第１コンピュータから前記顧客番組ファイルをデータ通信にて受け取るか又は前記可搬型の記録媒体から前記顧客番組ファイルを読み取り、当該顧客番組ファイルを解釈して映像信号を生成し、この映像信号をディスプレイに供給する第２コンピュータと、を備えることを特徴とする映像供給システム。
【請求項３】
請求項２に記載の映像供給システムにおいて、前記ユーザ側コンピュータから当該ユーザの所有ファイルが送信されてきた場合は、前記第２記憶手段は、前記入力情報とテンプレート選択情報と前記ユーザ所有ファイルをユーザ特定情報に対応付けて記憶し、前記処理手段は、前記入力情報と選択されたテンプレートデータと前記ユーザ所有ファイルとに基づいて作成した顧客番組ファイルを可搬型の記録媒体に記録するか又はユーザ側コンピュータに送信するように構成されたことを特徴とする映像供給システム。
【請求項４】
請求項３に記載の映像供給システムにおいて、映像供給側コンピュータは、画像大きさ制限情報が記憶された第３記憶手段を備え、前記処理手段は、前記ユーザ所有ファイルが画像ファイルである場合に、前記画像大きさ制限情報による画像大きさを満たすように画像縮小処理又は画像拡大処理を行うように構成されたことを特徴とする映像供給システム。
【請求項５】
請求項１乃至請求項４のいずれかに記載の映像供給システムにおいて、ユーザ側コンピュータにおける第２コンピュータは、画像ファイルとして動画像ファイルが格納される記憶手段を備え、前記顧客番組ファイルをフレームメモリに展開する際に前記動画像ファイルを前記フレームメモリに展開して合成画像データを生成し、この合成画像データを映像信号化するように構成されたことを特徴とする映像供給システム。
【請求項６】
請求項１乃至請求項５のいずれかに記載の映像供給システムにおいて、ユーザ側コンピュータにおける第１コンピュータは、ユーザにより指定された顧客番組ファイルのダウンロード日時を記憶する手段と、ダウンロード日時が到来したときに、コンピュータネットワークに自動接続して映像供給側コンピュータに前記顧客番組ファイルのダウンロード要求を自動実行する手段と、を備えたことを特徴とする映像供給システム。
【請求項７】
請求項１乃至請求項６のいずれかに記載の映像供給システムにおいて、前記ディスプレイはプラズマディスプレイであることを特徴とする映像供給システム。
【発明の詳細な説明】
【０００１】
【産業上の利用分野】
この発明は、いわゆる電子広告システムに利用される映像供給システムに関する。
【０００２】
【従来の技術】
薄型大画面のプラズマディスプレイ等を店舗内のショーウィンドウや壁などに配置し、これに店や商品の広告映像を表示することが考えられる。なお、個人向けの広告提示方法として、コンテンツ蓄積サーバから取り出したコンテンツを配信して画面表示するものが知られている（特許文献１参照）。
【０００３】
【特許文献１】
特開２００２−１３３２６３号公報
【０００４】
【発明が解決しようとする課題】
しかしながら、ディスプレイを用いた店舗内での店や商品の広告においては、広告映像の作成の負担軽減を図ることが求められる。
【０００５】
この発明は、上記の事情に鑑み、ディスプレイに表示させる広告映像の作成の負担を軽減することができる映像供給システムを提供することを目的とする。
【０００６】
【課題を解決するための手段】
この発明の映像供給システムは、上記の課題を解決するために、ユーザ側コンピュータと映像供給側コンピュータとがコンピュータネットワークで接続された映像供給システムであって、前記映像供給側コンピュータは、供給映像のひな型となる複数のテンプレートデータを記憶した第１記憶手段と、前記複数のテンプレートデータに基づくテンプレート一覧データを前記ユーザ側コンピュータに送信する手段と、前記ユーザ側コンピュータから送信されてきたテンプレート選択情報をユーザ特定情報に対応付けて記憶する第２記憶手段と、選択されたテンプレートデータに基づいて作成した顧客番組ファイルを可搬型の記録媒体に記録するか又はユーザ側コンピュータに送信する処理手段と、を備え、ユーザ側コンピュータは、映像供給側コンピュータにコンピュータネットワークで接続される第１コンピュータと、前記第１コンピュータから前記顧客番組ファイルをデータ通信にて受け取るか又は前記可搬型の記録媒体から前記顧客番組ファイルを読み取り、当該顧客番組ファイルを解釈して映像信号を生成し、この映像信号をディスプレイに供給する第２コンピュータと、を備えることを特徴とする。
【０００７】
上記の構成であれば、テンプレートに基づく広告映像をユーザの店舗に配置したディスプレイに表示させることができる。
【０００８】
また、この発明の映像供給システムは、ユーザ側コンピュータと映像供給側コンピュータとがコンピュータネットワークで接続された映像供給システムであって、前記映像供給側コンピュータは、供給映像のひな型となる複数のテンプレートデータを記憶した第１記憶手段と、前記複数のテンプレートデータに基づくテンプレート一覧データを前記ユーザ側コンピュータに送信する手段と、前記テンプレートデータとして利用される情報が格納されたアプリケーション素材データベースと、前記ユーザ側コンピュータから送信されてきたテンプレート選択情報に基づいてテンプレートを選択し、このテンプレートデータと共に情報入力用ファイルをユーザ側コンピュータに送信する手段と、前記ユーザ側コンピュータから送信されてきた入力情報及びテンプレート選択情報をユーザ特定情報に対応付けて記憶する第２記憶手段と、前記入力情報及び選択されたテンプレートデータに基づいて作成した顧客番組ファイルを可搬型の記録媒体に記録するか又はユーザ側コンピュータに送信する処理手段と、を備え、ユーザ側コンピュータは、映像供給側コンピュータにコンピュータネットワークで接続される第１コンピュータと、前記第１コンピュータから前記顧客番組ファイルをデータ通信にて受け取るか又は前記可搬型の記録媒体から前記顧客番組ファイルを読み取り、当該顧客番組ファイルを解釈して映像信号を生成し、この映像信号をディスプレイに供給する第２コンピュータと、を備えることを特徴とする。
【０００９】
上記の構成であれば、ユーザは独自の広告映像をテンプレートに基づいて簡単に作成し、この自作の広告映像をユーザの店舗に配置したディスプレイに表示させることができる。上記構成において、前記ユーザ側コンピュータから当該ユーザの所有ファイルが送信されてきた場合は、前記第２記憶手段は、前記入力情報とテンプレート選択情報と前記ユーザ所有ファイルをユーザ特定情報に対応付けて記憶し、前記処理手段は、前記入力情報と選択されたテンプレートデータと前記ユーザ所有ファイルとに基づいて作成した顧客番組ファイルを可搬型の記録媒体に記録するか又はユーザ側コンピュータに送信するように構成されているのがよい。また、映像供給側コンピュータは、画像大きさ制限情報が記憶された第３記憶手段を備え、前記処理手段は、前記ユーザ所有ファイルが画像ファイルである場合に、前記画像大きさ制限情報による画像大きさを満たすように画像縮小処理又は画像拡大処理を行うように構成されているのがよい。
【００１０】
これら構成の映像供給システムにおいて、ユーザ側コンピュータにおける第２コンピュータは、画像ファイルとして動画像ファイルが格納される記憶手段を備え、前記顧客番組ファイルをフレームメモリに展開する際に前記動画像ファイルを前記フレームメモリに展開して合成画像データを生成し、この合成画像データを映像信号化するように構成されていてもよい。また、ユーザ側コンピュータにおける第１コンピュータは、ユーザにより指定された顧客番組ファイルのダウンロード日時を記憶する手段と、ダウンロード日時が到来したときに、コンピュータネットワークに自動接続して映像供給側コンピュータに前記顧客番組ファイルのダウンロード要求を自動実行する手段と、を備えていてもよい。また、前記ディスプレイはプラズマディスプレイであるのがよい。
【００１１】
【発明の実施の形態】
以下、この発明の実施形態を図１乃至図６に基づいて説明する。
【００１２】
この実施形態の映像供給システムは、図１に示すように、映像供給側コンピュータ（サーバ）１とユーザ側コンピュータ（２又は３）とが、インターネット（コンピュータネットワーク）で接続されて成るシステムである。また、この実施形態では、映像供給側コンピュータ１はインターネットを介して汎用コンテンツプロバイダ側のコンピュータ（サーバ）４や番組製作会社のコンピュータ（サーバ）５にも接続されている。
【００１３】
映像供給側コンピュータ１は、ＷＥＢサーバ１１とアプリケーションサーバ１２とＤＢサーバ１３とから成り、これらはコンピュータネットワークによって接続されている。アプリケーションサーバ１２及びＤＢサーバ１３はＷＥＢサーバ１１の上位処理装置として存在する。
【００１４】
ＷＥＢサーバ１１はインターネットを介した所定のプロトコルによる情報の送受処理を主に担う。
【００１５】
アプリケーションサーバ１２は、番組テンプレートの作成に利用される各種のアプリケーション素材データを図示しない記憶装置（ハードディスク等）に格納している。アプリケーション素材データは、例文データ、画像データなどから成る。また、アプリケーションサーバ１２は、ＡＳＰ（アプリケーション・サービス・プロバイダ）の機能によって提供するオリジナル番組編集アプリケーションソフトウェア（例えば、マクロソフト社のＦＬＡＳＨと呼ばれるソフトウェアを用いることができる）を記憶装置に記憶している。
【００１６】
ＤＢサーバ１３のデータベースＤＢには、前記番組テンプレートが複数格納されている。番組テンプレートは、業種別・グループ別に多数用意されている。ＤＢサーバ１３は、番組テンプレートを成す画像データを縮小圧縮処理したＪＰＥＧ画像など（サムネイル画像）から成る番組テンプレートリストを業種別・グループ別に作成してデータベースＤＢに格納している。また、データベースＤＢには、顧客の各種情報（顧客名情報、顧客登録ドメイン情報、サーバへのアクセスを許す登録ＩＤやパスワード、利用履歴、各顧客が作成した顧客番組ファイルなど）や各種ページとなるＨＴＭＬファイルが格納される。ＤＢサーバ１３は業種別・業態別、グループ別などの複数のドメイン構造を持ち、各顧客のアクセスにおいて、顧客登録ドメイン情報に基づき、登録済みのドメインのみのアクセスを許可する処理を行う。例えば、業種は「ヘルスケア」、業態は「病医院」、グループは「産科」というように階層化している。
【００１７】
映像供給側コンピュータ１は、入会処理として、ユーザ側コンピュータ（２又は３）に対してインターネットを通じて登録ＩＤとパスワードを送信する。入会処理後、映像供給側コンピュータ１は、ユーザ側コンピュータ（２又は３）から送信された登録ＩＤとパスワードが登録されている登録ＩＤとパスワードに一致すると、顧客登録ドメイン情報に基づき、登録済みのドメインのアクセスを許可し、所定のＨＴＭＬファイルをユーザ側コンピュータ（２又は３）に送信する。上記所定のＨＴＭＬファイルを受信したユーザ側コンピュータ（２又は３）の画面には、例えば、図２に示す画像（ページ）が表示される。上記所定のＨＴＭＬファイルでは、番組テンプレートのサムネイル画像（番組テンプレートリスト）が付加されている。各サムネイル画像にはデータ格納先情報（ＵＲＬ：ユニフォーム・リソース・ロケーター）が埋め込まれており、ユーザ側コンピュータ（２又は３）で所定のサムネイル画像に対するクリック操作がなされると、前記データ格納先情報を映像供給側コンピュータ１が受信し、指定された番組テンプレートと少なくとも文字属性情報が記入される情報入力用ファイル（以下、単に番組テンプレートという）とをユーザ側コンピュータ（２又は３）に送信する処理を行う。上記番組テンプレートを受信したユーザ側コンピュータ（２又は３）の画面には、例えば、図３に示す画像（ページ）が表示される。
【００１８】
番組テンプレートは動画像とアニメーション、文字、イラスト、音楽などの各種データによって構成されている。番組テンプレートには自身の動きを規定するスクリプトが含まれており、アニメーションの動き、文字の表出速度、画像・テキスト部の表出の仕方、番組同士のつながり方、番組単位で放映される時間などが、予めプログラムされている。また、このプログラムは外部（アプリケーションサーバ１２やＤＢサーバ１３）に定義され関連付けられたファイル（テキストファイル、画像ファイル）を読み込み、画像や文字を番組映像に取り込んで表示する機能を有する。この機能によって顧客は、ユーザ側コンピュータ（２又は３）を操作して自ら任意に番組テンプレートの一部を改編し、顧客独自の顧客番組ファイルを作成することができる。例えば、顧客が番組テンプレートの文字を改編（情報入力）すると、外部（アプリケーションサーバ１２やＤＢサーバ１３）に定義されたテキストファイルの一部が改編情報（入力情報）によって変更され、番組テンプレートのそのほかの部分を変化させることなく文字部分のみを新たにして自身のオリジナルな映像ファイルとすることができる。すなわち、これら外部定義ファイルの改編を顧客が簡易に行うことができるように、いわゆるＡＳＰの機能によって、オリジナル番組編集アプリケーションがユーザ側コンピュータ（２又は３）に提供され、ユーザ側コンピュータ（２又は３）側での処理による改編情報（入力情報）が映像供給側コンピュータ１に送信され、映像供給側コンピュータ１では、前記改編情報（入力情報）と番組テンプレートの登録情報とによって該当顧客の顧客番組ファイルを作成する処理を行う。顧客番組ファイルは、例えば、背景画像データ、動画・静止画データとその表示位置情報、文字情報（文字コード群，フォント，サイズ，色等）とその表示位置情報、各表示の継続時間情報、表示順序情報、音楽情報などにより構成され、顧客が付けた番組名（ファイル名）が与えられてデータベースＤＢに登録される。なお、映像表示用としての動画ファイルがユーザ側コンピュータ（２又は３）に存在する場合、顧客番組ファイルには、前記動画ファイルを特定する情報（ファイル名等）やその表示位置情報が存在する場合がある。
【００１９】
また、ユーザ側コンピュータ（２又は３）の画面で表示中の図２や図３に示す画像（ページ）における「番組制作」のメニューが選択（クリック）されると、映像供給側コンピュータ１は番組制作のＨＴＭＬファイルをユーザ側コンピュータ（２又は３）に送信する。上記ＨＴＭＬファイルを受信したユーザ側コンピュータ（２又は３）の画面には、例えば、図４に示す画像（ページ）が表示される。このページ上で各ファイル（テンプレート）の再生時間を設定できる。この画面上で指定した一つ又は複数のファイルによって顧客番組ファイルが作成されることになり、この顧客番組ファイルについて、ユーザ入力された番組名がファイル名として登録されることになる。設定情報は映像供給側コンピュータ１に送信され、映像供給側コンピュータ１は前記設定情報に基づいて各顧客番組ファイルにおける各ファイルの再生時間を示す情報を当該顧客番組ファイルに付加する処理（例えば、ファイルヘッダに記述する処理）を行う。また、「配信設定」のメニューが選択（クリック）されると、映像供給側コンピュータ１は配信設定のＨＴＭＬファイルをユーザ側コンピュータ２に送信する。上記ＨＴＭＬファイルを受信したユーザ側コンピュータ２の画面には、例えば、図５に示す画像（ページ）が表示される。このページ上で各顧客番組ファイルの配信設定が行える。配信設定情報は映像供給側コンピュータ１に送信され、映像供給側コンピュータ１は前記配信設定情報に基づいて各顧客番組ファイルの配信日時（深夜帯など顧客の通常業務に支障のない時間帯を設定するのがよい）を管理したり、ダウンロード終了後の放映専用端末（ＳＴＢ：セットトップボックス）への配信する／しないの情報、どの放映専用端末に配信するかを示す情報をダウンロードに際してユーザ側コンピュータ２に送信する。なお、各顧客番組ファイルの配信日時情報は、ＡＳＰ機能の提供中において、映像供給側コンピュータ１からユーザ側コンピュータ２の自動ダウンロードソフトウェアに送信され、ユーザ側コンピュータ２の自動ダウンロードソフトウェアは前記配信日時の到来時に映像供給側コンピュータ１に自動アクセスする。また、「配信ログ」のメニューが選択（クリック）されると、映像供給側コンピュータ１は配信ログのＨＴＭＬファイルをユーザ側コンピュータ２に送信する。上記ＨＴＭＬファイルを受信したユーザ側コンピュータ２の画面には、例えば、図６に示す画像（ページ）が表示される。このページ上で配信履歴（ダウンロード状況）を確認したり、プレビュー等を行うことができる。
【００２０】
ユーザ側コンピュータ（２又は３）では、前記ＡＳＰで提供されるオリジナル番組編集アプリケーションによって、当該ユーザ側コンピュータ（２又は３）の記憶装置に記憶してあるユーザ所有ファイル（画像ファイルやテキストファイル）を番組テンプレートに組み入れる編集を行うことができる。映像供給側コンピュータ１は、ユーザ側コンピュータ（２又は３）から当該ユーザの所有ファイルが送信されてきた場合は、ＤＢサーバ１３において、改編情報（入力情報）とテンプレート選択情報と前記ユーザ所有ファイルとに基づいて該当顧客の顧客番組ファイルを作成し、これをユーザ特定情報に対応付けてデータベースＤＢに記憶する。すなわち、顧客は自身のインターネット・ホームページなどで使用した図像（地図、施設見取り図など）のファイルや、自身が撮像したディジタル写真の画像（静止画・動画）ファイルを番組テンプレートの特定個所に取り入れて写真・ムービー入りのオリジナル番組をつくることができる。顧客は使用したい自己所有のファイルを指定し、オリジナル番組編集アプリケーションのブラウズ機能を使用して、自己所有のファイルをインターネットＷＷＷの機能を通じて映像供給側コンピュータ１にアップロードする。なお、ＤＢサーバ１３のアプリケーションは前記アップロードした画像・図像をふさわしい画像サイズに変更して（リサイズ機能）番組内に自動で合成する。具体的には、ＤＢサーバ１３は画像大きさ制限情報（各番組テンプレート一律或いはテンプレートごと）を記憶しており、前記ユーザ所有ファイルが画像ファイルである場合に、前記画像大きさ制限情報による画像大きさを満たすように画像縮小処理又は画像拡大処理を行う。より具体的には、例えば画像ファイルがＪＰＥＧファイルであれば、ビットマップデータに変換してメモリ上に展開し、画素間引き処理や画素補間処理を行った後に再びＪＰＥＧファイル等に変換する。また、動画像を番組内に使用する場合、ユーザ側コンピュータ２に対してなされたユーザによる動画ファイル（例えば、ＭＰＥＧファイル）の指定は、当該動画像ファイルを映像供給側コンピュータ１にアップロードするのではなく、動画ファイル名が映像供給側コンピュータ１に送信される処理となる。例えば、映像供給側コンピュータ１はユーザ側コンピュータ２に顧客番組ファイルをデータ送信するとき、この顧客番組ファイルと共に前記動画ファイル名をユーザ側コンピュータ２に送信する。
【００２１】
ユーザ側コンピュータ２は、第１のコンピュータであるパーソナルコンピュータ２１と、第２のコンピュータである放映専用端末（ＳＴＢ）２２とから成る。放映専用端末２２には、プラズマディスプレイ２３が接続されている。
【００２２】
パーソナルコンピュータ２１は、マウスやハードディスクなどの他、インターネットネット接続環境（通信ハードウェア及びＷｅｂブラウザソフトウェア等）、ＬＡＮ接続環境（通信ハードウェア及び通信ソフトウェア等）、放映専用端末２２の制御ソフトウェア等を備える。そして、パーソナルコンピュータ２１は、インターネットを介して映像供給側コンピュータ１に接続する処理、ユーザ操作に基づく前述した番組テンプレートに対して入力された入力情報（プルダウンメニュー等における選択情報を含む）の送出処理、映像供給側コンピュータ１から送信されてきた顧客番組ファイルを記憶装置（ハードディスク等）に記憶する処理、前記顧客番組ファイルを放映専用端末２２にデータ送信する処理等を行う。更に、パーソナルコンピュータ２１は、映像供給側コンピュータ１から顧客番組ファイルと共に動画ファイル名を受信したときには、放映専用端末２２に対して顧客番組ファイルと共に動画ファイル名にて特定される動画ファイルを記憶装置から読み出してデータ送信する処理を行う。
【００２３】
放映専用端末２２はパーソナルコンピュータ２１から供給された各種情報（顧客番組ファイル，動画ファイル等）を図示しない記憶装置（ハードディスク等）に格納する。また、放映専用端末２２における図示しないＣＰＵ（アプリケーション：ＬＡＮソフトウェア、前述したＦＬＡＳＨ等のオリジナル番組編集アプリケーションにより作成された顧客番組ファイルのリーダーソフトウェア等）は、パーソナルコンピュータ２１から供給された顧客番組ファイルにおける背景画像データ、動画・静止画データとその表示位置情報、文字情報（文字コード群，フォント，サイズ，色等）とその表示位置情報、各表示の継続時間情報、表示順序情報などの編集情報を解析して画像データを生成し、この画像データを所定周期でフレームメモリ（ＶＲＡＭ）に書き込む処理（描画処理）を行う。そして、放映専用端末２２における図示しない映像処理部は、前記フレームメモリから所定周期でデータを読み出し、Ｄ／Ａ変換処理を行い、例えばＮＴＳＣなどのコンポジットビデオ信号を生成する。また、音声処理部は、音楽情報をＤ／Ａ変換してオーディオ信号を生成する。放映専用端末２２のＡＶ出力端子と、プラズマディスプレイ２３におけるＡＶ入力端子はＡＶコードによって接続されており、放映専用端末２２が生成したビデオ信号及びオーディオ信号はプラズマディスプレイ２３に供給される。
【００２４】
また、顧客番組ファイルに動画ファイルを特定する情報（ファイル名等）が存在する場合、放映専用端末２２におけるＣＰＵ（アプリケーション）は、前記特定情報に基づいて記憶装置から動画ファイルを読み出す。そして、前記顧客番組ファイルをフレームメモリに展開する際に前記動画像ファイルを再生して前記フレームメモリに展開して合成画像データを生成し、この合成画像データを映像信号化して出力する。
【００２５】
また、パーソナルコンピュータ２１は、放映日時設定及びダウンロード日時設定のためのソフトウェアや自動ダウンロードのためのソフトウェアを搭載している。パーソナルコンピュータ２１はユーザ入力された放映日時情報を記憶装置に記憶し、カレンダ機能により現在日時が前記放映日時に一致したと判断したときに、前記顧客番組ファイルを放映専用端末２２に転送すると共に放映指令を与え、放映専用端末２２による放映処理を行わせる。また、パーソナルコンピュータ２１の自動ダウンロードソフトウェアは、図５に示した画面上でユーザ入力されたダウンロード日時情報を記憶し、当該日時の到来時に自動的に映像供給側コンピュータ１にアクセスする（アクセスのためのＵＲＬ、ユーザＩＤ、パスワードはパーソナルコンピュータ２１の記憶装置に記憶されている）。映像供給側コンピュータ１は配信設定（図５の画面にて設定できる）の情報に基づいて、所定の顧客番組ファイルをパーソナルコンピュータ２１にデータ送信する。なお、パーソナルコンピュータ２１に複数の放映専用端末２２を接続することが可能であり、各放映専用端末２２にはグループ情報（定義情報）を与えておき、パーソナルコンピュータ２１は、上記グループ情報（定義情報）で特定される放映専用端末２２に宛てて特定の顧客番組ファイルをデータ送信する。
【００２６】
映像供給側コンピュータ１は、汎用コンテンツプロバイダのサーバ４からダウンロードしたニュースや天気予報などの情報（コンテンツ）を取得できる。アプリケーションサーバ１２は上記情報（コンテンツ）を顧客が選択可能な情報（番組テンプレートに組み込む情報）としてその記憶装置に蓄積するようになっていてもよい。コンテンツの収集は、映像供給側コンピュータ１の運用者が手作業で行ってもよい。また、映像供給側コンピュータ１は、顧客番組ファイルを送信するのではなく、ＬＡＮを持たない顧客のユーザ側コンピュータ３におけるパーソナルコンピュータ３１にて再生可能な可搬型記録媒体（例えば、ＤＶＤなど）に記録するようになっていてもよい。また、図１に示しているように、映像供給側コンピュータ１は、番組作成会社のコンピュータ５に顧客番組ファイル（或いは、番組テンプレートの追加・更新・削除等の情報等も）を送信し、このコンピュータ５において、前記可搬型記録媒体への記録を行わせるようになっていてもよい。例えば、顧客はまず自作の顧客番組ファイルを映像供給側コンピュータ１に登録する（パーソナルコンピュータ３１の画面上の登録ボタンを押下する）までの作業を行う。映像供給側コンピュータ１は番組の登録（登録ボタンの押下）を認識し、ｅ−ｍａｉｌに顧客番組ファイル取り出しのためのＵＲＬ、顧客の住所や担当者名等を記入し、番組の配送要求を番組作成会社のコンピュータ５に宛てて送信する。番組作成会社の作業者は上記ｅ−ｍａｉｌに付加されているＵＲＬにて顧客番組ファイルをコンピュータ５にダウンロードする。コンピュータ５はダウンロードした顧客番組ファイルを書き込み可能なＤＶＤ等に記録媒体に記録する。作業者は、記録媒体を梱包し、宛て名に前記住所や担当者名を記入して郵送する。顧客は、届けられた記録媒体を放映専用端末３２の再生装置（ＤＶＤプレーヤ等）に挿入すると、記録された番組ファイルがほぼ自動的に（顧客による数回のクリック操作等により）専用端末３２内のハードディスクに記録保存される。この機能および業務の流れは、構内ＬＡＮの導入が不可能な特定の顧客に対してもサービスを提供できるように図ったものである。
【００２７】
【発明の効果】
以上説明したように、この発明によれば、ディスプレイに表示させる広告映像の作成の負担を軽減することができるという効果を奏する。
【図面の簡単な説明】
【図１】この発明の実施形態の映像供給システムの構成を示した説明図である。
【図２】ユーザ側コンピュータにおけるパーソナルコンピュータの画面表示例（番組テンプレートのサムネイルリスト表示時）を示した説明図である。
【図３】ユーザ側コンピュータにおけるパーソナルコンピュータの画面表示例（選択した番組テンプレートによる編集時）を示した説明図である。
【図４】ユーザ側コンピュータにおけるパーソナルコンピュータの画面表示例（番組制作画面）を示した説明図である。
【図５】ユーザ側コンピュータにおけるパーソナルコンピュータの画面表示例（配信設定画面）を示した説明図である。
【図６】ユーザ側コンピュータにおけるパーソナルコンピュータの画面表示例（配信ログ画面）を示した説明図である。
【符号の説明】
１    映像供給側コンピュータ
１１  ＷＥＢサーバ
１２  アプリケーションサーバ
１３  ＤＢサーバ
２    ユーザ側コンピュータ
２１  パーソナルコンピュータ
２２  放映専用端末
２３  プラズマディスプレイ
３    ユーザ側コンピュータ
３１  パーソナルコンピュータ
３２  放映専用端末
３３  プラズマディスプレイ
４    汎用コンテンツプロバイダ側のコンピュータ４
５    番組製作会社のコンピュータ５
【図１】
2004336442.tif 000003
【図２】
2004336442.tif 000004
【図３】
2004336442.tif 000005
【図４】
2004336442.tif 000006
【図５】
2004336442.tif 000007
【図６】
2004336442.tif 000008